(57)【特許請求の範囲】
【請求項１】
複数個の電池セル（１、２）を組み合わせてなる組電池（３）において、各前記電池セル（１、２）は、発電要素（１ｇ、２ｇ）と、前記発電要素を密封するラミネートフィルム（８、９）と、前記発電要素（１ｇ、２ｇ）から突出する一対の端子部材（４〜７）とを有し、一方の前記電池セル（１）と他方の前記電池セル（２）との端子部材同士の接合部（５６）では、隣り合う前記電池セル（１、２）の前記端子部材同士が接続されていると共に、それらの前記端子部材同士の前記接合部（５６）が、該接合部（５６）を挟んだ前記隣り合う前記電池セル（１、２）の少なくとも４枚の前記ラミネートフィルム（８、９）で二重に被覆されており、
前記接合部（５６）を覆う前記ラミネートフィルム（８、９）の、前記端子部材（４〜７）の突出方向と直交し、かつ前記接合部（５６）の接合面に沿う方向の幅が、前記一方の前記電池セル（１）側は幅が広く、前記他方の前記電池セル（２）側は幅が狭くなっており、前記接合部（５６）は、幅が狭い前記ラミネートフィルムを内側、幅が広い前記ラミネートフィルムを外側にして、前記幅が狭い前記ラミネートフィルムと前記幅が広い前記ラミネートフィルムとで二重に被覆されていることを特徴とする組電池。
【請求項２】
前記一方の前記電池セル（１）の前記ラミネートフィルム（８）と前記他方の前記電池セル（２）の前記ラミネートフィルム（９）とが熱溶着された熱溶着部（９ｙ、１０ｙ）が、前記接合部（５６）に隣接し、かつ一方から他方の方向に延在して設けられていることを特徴とする請求項１に記載の組電池。
【請求項３】
前記熱溶着部（９ｙ、１０ｙ）にて、前記接合部（５６）が挟まれていることを特徴とする請求項２に記載の組電池。
【請求項４】
前記接合部（５６）を一方側と他方側から挟む前記ラミネートフィルム（８、９）の表側および裏側のいずれかに、０．２ｍｍ以上の厚さの、前記ラミネートフィルム（８、９）および前記端子部材（４〜７）とは熱伝導率が異なる中間層（２０）を介在させていることを特徴とする請求項１ないし３のいずれか一項に記載の組電池。
【請求項５】
前記接合部（５６）を挟む前記ラミネートフィルムの前記表側および前記裏側のいずれか一方側のみに、前記中間層（２０）を介在させていることを特徴とする請求項４に記載の組電池。
【請求項６】
前記接合部（５６）を覆う前記ラミネートフィルムに前記端子部材（５、６）を外部に露出させる穴部（５６ｈ）が形成され、該穴部（５６ｈ）内で前記端子部材が溶着されていることを特徴とする請求項１ないし５のいずれか一項に記載の組電池。
【請求項７】
複数個の電池セル（１、２）を組み合わせてなる組電池（３）の製造方法において、各前記電池セル（１、２）は、発電要素（１ｇ、２ｇ）と、前記発電要素（１ｇ、２ｇ）を密封するラミネートフィルム（８、９）と、前記発電要素（１ｇ、２ｇ）から突出する一対の端子部材（４〜７）とを有し、一方の前記電池セル（１）と他方の前記電池セル（２）との端子部材同士の接合部（５６）では、該接合部（５６）を挟んだ隣り合う前記電池セル（１、２）の少なくとも４枚の前記ラミネートフィルム（８、９）を捲り上げて、前記隣り合う前記電池セル（１、２）の前記端子部材同士を接合した後に、前記端子部材（４〜７）の前記接合部（５６）を、該接合部（５６）を挟んだ前記隣り合う前記電池セル（１、２）の少なくとも４枚の前記ラミネートフィルム（８、９）で二重に被覆しており、
前記接合部（５６）を接合した後に、前記一方の前記電池セル（１）の前記ラミネートフィルム（８）と前記他方の前記電池セル（２）の前記ラミネートフィルム（９）とを熱溶着した熱溶着部（９ｙ、１０ｙ）が、前記接合部（５６）に隣接して帯状に形成されることを特徴とする組電池の製造方法。
【請求項８】
前記ラミネートフィルム（８、９）に前記接合部（５６）を構成することになる前記端子部材（５、６）の一部を外部に露出させる穴部（５６ｈ）が形成され、
前記隣り合う前記電池セル（１、２）の少なくとも４枚の前記ラミネートフィルム（８、９）を捲り上げて、前記隣り合う前記電池セル（１、２）の前記端子部材同士を接合した後に、
前記端子部材（４〜７）の前記接合部（５６）を、該接合部（５６）を挟んだ前記隣り合う前記電池セル（１、２）の少なくとも４枚の前記ラミネートフィルム（８、９）で二重に覆い、
前記穴部（５６ｈ）を介して該穴部（５６ｈ）内で前記接合部（５６）を溶着することを特徴とする請求項７に記載の組電池の製造方法。
【請求項９】
一方の前記電池セル（１）と他方の前記電池セル（２）との前記端子部材（４〜７）を覆う前記ラミネートフィルム（８、９）の一部が予め剥がされて、前記端子部材（４〜７）の先端と前記ラミネートフィルム（８、９）の一部との間に隙間部（５７）が形成されており、
前記隣り合う前記電池セル（１、２）の少なくとも４枚の前記ラミネートフィルム（８、９）を前記隙間部（５７）から捲り上げて、前記隣り合う前記電池セル（１、２）の前記端子部材同士を接合することを特徴とする請求項７又は８に記載の組電池の製造方法。
【請求項１０】
複数個の電池セル（１、２）を組み合わせてなる組電池（３）の製造方法において、各前記電池セル（１、２）は、発電要素（１ｇ、２ｇ）と、前記発電要素（１ｇ、２ｇ）を密封するラミネートフィルム（８、９）と、前記発電要素（１ｇ、２ｇ）から突出する一対の端子部材（４〜７）とを有し、一方の前記電池セル（１）と他方の前記電池セル（２）との端子部材同士の接合部（５６）では、該接合部（５６）を挟んだ隣り合う前記電池セル（１、２）の少なくとも４枚の前記ラミネートフィルム（８、９）を捲り上げて、前記隣り合う前記電池セル（１、２）の前記端子部材同士を接合した後に、前記端子部材（４〜７）の前記接合部（５６）を、該接合部（５６）を挟んだ前記隣り合う前記電池セル（１、２）の少なくとも４枚の前記ラミネートフィルム（８、９）で二重に被覆しており、
前記ラミネートフィルム（８、９）に前記接合部（５６）を構成することになる前記端子部材（５、６）の一部を外部に露出させる穴部（５６ｈ）が形成され、
前記隣り合う前記電池セル（１、２）の少なくとも４枚の前記ラミネートフィルム（８、９）を捲り上げて、前記隣り合う前記電池セル（１、２）の前記端子部材同士を接合した後に、
前記端子部材（４〜７）の前記接合部（５６）を、該接合部（５６）を挟んだ前記隣り合う前記電池セル（１、２）の少なくとも４枚の前記ラミネートフィルム（８、９）で二重に覆い、
前記穴部（５６ｈ）を介して該穴部（５６ｈ）内で前記接合部（５６）を溶着することを特徴とする組電池の製造方法。
【請求項１１】
一方の前記電池セル（１）と他方の前記電池セル（２）との前記端子部材（４〜７）を覆う前記ラミネートフィルム（８、９）の一部が予め剥がされて、前記端子部材（４〜７）の先端と前記ラミネートフィルム（８、９）の一部との間に隙間部（５７）が形成されており、
前記隣り合う前記電池セル（１、２）の少なくとも４枚の前記ラミネートフィルム（８、９）を前記隙間部（５７）から捲り上げて、前記隣り合う前記電池セル（１、２）の前記端子部材同士を接合することを特徴とする請求項１０に記載の組電池の製造方法。
【発明の詳細な説明】
【技術分野】
【０００１】
本発明は、ラミネートフィルムを有する電池セルを複数組み合わせた組電池および組電池の製造方法に関するものである。
【背景技術】
【０００２】
従来、特許文献１に記載の組電池は、複数の電池セルの電極相互を接続して連結するように組み合わせて組電池を構成している。全体が絶縁性のラミネートフィルムで覆われた電池セルは、プラスとマイナスの電極の一部がラミネートフィルムで覆われていない。
【０００３】
具体的には、電極端子の一方の片面であって、組み合わせが成される隣接する電池セルと反対側の面がラミネートフィルムで覆われている。そして、電極端子の他方の片面はラミネートフィルムで覆われていない。そして、隣接する電池セルは、ラミネートフィルムで覆われていない電極の片面同士を重ねて接合している。その結果、接合部分と反対側の片面がラミネートフィルムで覆われた組電池を得ている。
【０００４】
この組電池は、電極部分がラミネートフィルムで覆われているため、異物等の接触によって短絡することが抑制できる。また、漏洩電流も抑制できる。
【先行技術文献】
【特許文献】
【０００５】
【特許文献１】特許第４５９５２９２号公報
【発明の概要】
【発明が解決しようとする課題】
【０００６】
上記特許文献１の技術によると、複数の電池セルを組み合わせる前の電池セル単独状態における電池セルの露出された電極の短絡を完全には抑止できない。従って、電池セルの組み合わせ後だけでなく、電池セルの組み合わせ前の状態における電極の短絡も抑制できる構造が望まれる。
【０００７】
本発明は、このような従来の技術に存在する問題点に着目して成されたものであり、その目的は、複数の電池セルを組み合わせて構成した組電池において、組み合わせ後は勿論、組み合わせ前の電池セルの状態においても電極の短絡を抑制できる組電池および組電池の製造方法を得ることにある。
【０００８】
従来技術として列挙された特許文献の記載内容は、この明細書に記載された技術的要素の説明として、参照によって導入ないし援用することができる。
【課題を解決するための手段】
【０００９】
本発明は上記目的を達成するために、下記の技術的手段を採用する。すなわち、請求項１に記載の発明では、複数個の電池セル（１、２）を組み合わせてなる組電池（３）において、各電池セル（１、２）は、発電要素（１ｇ、２ｇ）と、発電要素（１ｇ、２ｇ）を密封するラミネートフィルム（８、９）と、発電要素（１ｇ、２ｇ）から突出する一対の端子部材（４〜７）とを有し、一方の電池セル（１）と他方の電池セル（２）との端子部材同士の接合部（５６）では、隣り合う電池セル（１、２）の端子部材同士が接続されていると共に、それらの端子部材同士の接合部（５６）が、該接合部（５６）を挟んだ隣り合う電池セル（１、２）の少なくとも４枚のラミネートフィルム（８、９）で二重に被覆されており、
接合部（５６）を覆うラミネートフィルム（８、９）の、端子部材（４〜７）の突出方向と直交し、かつ接合部（５６）の接合面に沿う方向の幅が、一方の電池セル（１）側は幅が広く、他方の電池セル（２）側は幅が狭くなっており、接合部（５６）は、幅が狭いラミネートフィルムを内側、幅が広いラミネートフィルムを外側にして、幅が狭いラミネートフィルムと幅が広いラミネートフィルムとで二重に被覆されていることを特徴としている。
【００１０】
この発明によれば、端子部材の接合部が、該接合部を挟んだ隣り合う電池セルの少なくとも４枚のラミネートフィルムで二重に被覆されているから、複数の電池セルを組み合わせて構成した組電池において、電極となる端子部材での短絡を抑制できるのは勿論、組み合わせ前の電池セルの状態においても電極の短絡を抑制できる。また、接合部が、幅の広いラミネートフィルムと幅の狭いラミネートフィルムとで二重に被覆されているから、より強固に接合部を強化し保護することができる。
【００１１】
また、請求項７に記載の発明では、複数個の電池セル（１、２）を組み合わせてなる組電池（３）の製造方法において、各電池セル（１、２）は、発電要素（１ｇ、２ｇ）と、発電要素（１ｇ、２ｇ）を密封するラミネートフィルム（８、９）と、発電要素（１ｇ、２ｇ）から突出する一対の端子部材（４〜７）とを有し、一方の電池セル（１）と他方の電池セル（２）との端子部材同士の接合部（５６）では、該接合部（５６）を挟んだ隣り合う電池セル（１、２）の少なくとも４枚のラミネートフィルム（８、９）を捲り上げて、隣り合う電池セル（１、２）の端子部材同士を接合した後に、端子部材（４〜７）の接合部（５６）を、該接合部（５６）を挟んだ隣り合う電池セル（１、２）の少なくとも４枚のラミネートフィルム（８、９）で二重に被覆しており、接合部（５６）を接合した後に、一方の電池セル（１）のラミネートフィルム（８）と他方の電池セル（２）のラミネートフィルム（９）とを熱溶着した熱溶着部（９ｙ、１０ｙ）が、接合部（５６）に隣接して帯状に形成されることを特徴としている。
【００１２】
この発明によれば、端子部材の接合部が、該接合部を挟んだ隣り合う電池セルの少なくとも４枚のラミネートフィルムで二重に被覆できるから、電極となる端子部材での短絡を抑制できる組電池を容易に製造できる。更に、組み合わせ前の電池セルの状態においても電極の短絡を抑制できる組電池の製造方法が得られる。また、熱溶着部が、接合部に隣接して帯状に設けられているから、接合部を強化し保護することができる。
【００１３】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１４】
【図１】本発明の第１実施形態における組電池の結合前の斜視説明図である。
【図２】図１の２個の電池セルを結合した状態を示す正面図である。
【図３】図２の矢印III−III線に沿う断面図である。
【図４】本発明の第２実施形態を示す２個の電池セルを結合した状態を示す正面図である。
【図５】図４の矢印V−V線に沿う断面図である。
【図６】本発明の第３実施形態を示す２個の電池セルを結合した状態を示す正面図である。
【図７】図６の矢印VII−VII線に沿う断面図である。
【図８】図６の矢印VIII−VIIIに沿う断面図である。
【図９】本発明の第４実施形態を示す２個の電池セルを結合した状態を示す正面図である。
【図１０】図９の矢印X−Xに沿う断面図である。
【図１１】図９の矢印XI−XI線に沿う断面図である。
【図１２】本発明の第５実施形態を示す２個の電池セルを結合した状態を示す正面図である。
【図１３】図１２の矢印XIII−XIII線に沿う断面図である。
【図１４】図１２の矢印XIV−XIV線に沿う断面図である。
【図１５】本発明の第６実施形態を示す２個の電池セルを結合した状態を示す正面図である。
【図１６】図１５の矢印XVI−XVI線に沿う断面図である。
【図１７】図１５の矢印XVII−XVII線に沿う断面図である。
【図１８】上記各実施形態におけるラミネートフィルムの巻上げ例を示す説明図である。
【図１９】その他の実施形態における巻上げ前のラミネートフィルムの端部形状を示す説明図である。
【図２０】その他の実施形態における組電池を示す説明図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００１６】
各実施形態で具体的に組合せが可能であることを明示している部分同士の組合せばかりではなく、特に組合せに支障が生じなければ、明示していなくても実施形態同士を部分的に組合せることも可能である。
【００１７】
（第１実施形態）
以下、本発明の第１実施形態について図１ないし図３を用いて詳細に説明する。リチウムイオン電池は巻型リチウムイオン電池と積層型（ラミネートシート型）リチウムイオン電池に大別される。車載用として期待されている大型リチウムイオン電池では形状の自由化、重量エネルギー密度の優位性などで、ラミネートシート型リチウムイオン電池も量産化が行われている。
【００１８】
この第１実施形態では、図１および図２のように、ラミネートシート型リチウムイオン電池から成る電池セル１と電池セル２を結合した組電池３を構成している。各電池セル１、２内には発電要素１ｇ、２ｇが内包されている。この電池セル１、２は、正極、セパレータ、負極を交互に積層し、夫々の電極をタブと呼ばれる金属の端子部材４〜７に接続し、ラミネートフィルム８、９で構成した容器の中に入れ、電解液を注入してシールしている。
【００１９】
図１に示すように、端子部材４〜７はラミネートフィルム８、９で表裏から覆われている。このため、組電池３となる前の電池単体（電池セル１、２）段階での短絡を抑制できる。図１の２個の電池セル１、２を結合した状態を図２に図示している。また、図１のシボを付して示した部分はラミネートフィルムの加圧溶着部１ｙ〜８ｙであり、この加圧溶着部１ｙ〜８ｙでは、ラミネートフィルム同士が強固に溶着されている。
【００２０】
図３から判明するように、計４枚のラミネートフィルム８（８ａ、８ｂ）、９（９ａ、９ｂ）が二重に重なっている場所の断面構造では、電池セル１、２相互の接合部５６を完全にラミネートフィルム８、９で覆うことができ、組付け後の漏電を確実に防止できる。組みつけにあたっては、両方の電池セル１、２のラミネートフィルム８、９を拡げて開き（捲り上げ）、端子部材５、６同士を重ねて超音波溶着により結合して接合部５６の接続状態を強化した後、拡開されたラミネートフィルム８、９を図３のように重ねる。これにより電池セル１、２相互の接合部５６を完全にラミネートフィルムで覆うことができ、組付け後の 漏電を確実に防止できる。
【００２１】
（第１実施形態の作用）
上記第１実施形態においては、各電池セル１、２は、発電要素１ｇ、２ｇと、発電要素１ｇ、２ｇを密封するラミネートフィルム８、９と、発電要素１ｇ、２ｇから突出する一対の端子部材４〜７とを有している。一方の電池セル１と他方の電池セル２との端子部材同士の接合部５６では、隣り合う電池セル１、２の端子部材同士が接続されている。かつ、それらの端子部材同士の接合部５６が、該接合部５６を挟んだ隣り合う電池セル１、２の少なくとも４枚のラミネートフィルム８、９（８ａ、８ｂ、９ａ、９ｂ）で二重に被覆されている。
【００２２】
これによれば、端子部材５、６の接合部５６が、該接合部５６を挟んだ隣り合う電池セル１、２の少なくとも４枚のラミネートフィルム８、９で二重に被覆されているから、複数の電池セル１、２を組み合わせて構成した組電池３において、電極となる端子部材５、６での短絡を抑制でき、かつ組み合わせ前の電池セル１、２の状態においても電極となる端子部材４〜７の短絡を抑制できる。
【００２３】
また、組電池３の製造方法において、一方の電池セル１と他方の電池セル２との端子部材同士の接合部５６では、該接合部５６を挟んだ隣り合う電池セル１、２の少なくとも４枚のラミネートフィルム８、９を捲り上げて、隣り合う電池セル１、２の端子部材同士を接合した後に、端子部材５、６の接合部５６を、該接合部５６を挟んだ隣り合う電池セル１、２の少なくとも４枚のラミネートフィルム８、９で二重に被覆している。
【００２４】
これによれば、端子部材５、６の接合部５６が、該接合部５６を挟んだ隣り合う電池セル１、２の少なくとも４枚のラミネートフィルム８、９で二重に被覆できるから、電極となる端子部材４〜７での短絡を抑制できる組電池３を容易に製造できる。更に、組合わせ（結合）前の電池セル１、２の状態においても電極の短絡を抑制できる。
【００２５】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。第２実施形態における電池セル段階での形態は、第１実施形態の図１と同様である。
【００２６】
図４において、第１実施形態と異なる点は、外装のラミネートフィルム８、９の一部に穴部５６ｈが設けられ、この穴部５６ｈに接合部５６を成す端子部材５、６の一部が露出している点である。
【００２７】
従って、電池セル１、２の状態および組電池３とした後も穴部５６ｈにおいて端子部材５、６の一部が表裏に露出しているため、漏電防止作用は第１実施形態よりも劣るが、端子部材相互の溶着が容易になる。なお、組電池３とした後に、穴部５６ｈを絶縁材（テープまたは接着剤）で覆ってもよい。また、電池セル１、２単体の段階でも穴部５６ｈをテープで覆い、テープをはがしてから結合しても良い。
【００２８】
第１実施形態では、ラミネートフィルム８、９を拡げて開き、端子部材５、６同士を重ねて、超音波溶着により結合して接合部５６を強化した後、拡開されたラミネートフィルム８、９を重ねたが、第２実施形態においては、先に、拡開されたラミネートフィルム８、９を重ねる。その後、図５のように、穴部５６ｈ内に、表裏から超音波振動を与える工具５６０を入れる。工具５６０にて端子部材５、６を加圧し超音波溶着を行い接合部の強度を強化する。
【００２９】
穴部５６ｈは、長方形で３ｍｍ×４７ｍｍの大きさである。このようにすれば、先に、拡開されたラミネートフィルム８、９を重ねてから、超音波溶着できるので結合作業が容易になる。
【００３０】
（第２実施形態の作用）
上記第２実施形態においては、接合部５６を覆うラミネートフィルム８、９に端子部材５、６を外部に露出させる穴部５６ｈが形成され、該穴部５６ｈ内で端子部材５、６の接合が強化（溶着）されている。
【００３１】
このように、端子部材５、６を外部に露出させる穴部５６ｈが形成され、該穴部５６ｈ内で端子部材５、６が溶着されているから、先に一方の電池セル１と他方の電池セル２とのラミネートフィルム８、９同士を重ね合わせた後でも、隣り合う電池セル１、２の端子部材同士を溶着することができる。
【００３２】
また、組電池３の製造において、各電池セル１、２は、発電要素１ｇ、２ｇと、発電要素１ｇ，２ｇを密封するラミネートフィルム８、９と、発電要素１ｇ，２ｇから突出する一対の端子部材４〜７とを有し、ラミネートフィルム８、９に端子部材の一部を外部に露出させる穴部５６ｈが形成されている。その上で、一方の電池セル１と他方の電池セル２との端子部材同士の接合部５６では、該接合部５６を挟んだ隣り合う電池セル１、２の少なくとも４枚のラミネートフィルム８、９を捲り上げて、隣り合う電池セル１、２の端子部材同士を接触させる。
【００３３】
その後に、端子部材５、６の接合部５６を、該接合部５６を挟んだ隣り合う電池セル１、２の少なくとも４枚のラミネートフィルム８、９で二重に覆う。そして、穴部５６ｈを介して、該穴部５６ｈ内で端子部材５６の接合を強化（溶着）する。
【００３４】
これによれば、端子部材５、６を外部に露出させる穴部５６ｈが形成され、該穴部５６ｈを介して端子部材５、６を溶着できるから、先に一方の電池セル１と他方の電池セル２とのラミネートフィルム８、９同士を重ね合わせた後でも、隣り合う電池セル１、２の端子部材同士を溶着することができる。
【００３５】
（第３実施形態）
次に、本発明の第３実施形態について説明する。上述した実施形態と異なる特徴部分を説明する。第３実施形態における電池セル段階での形態は第１実施形態の図１と同様である。図６に示すように、組電池３とした後に、ラミネートフィルムの一部である熱溶着部９ｙ、１０ｙを加圧加熱してラミネートフィルム同士を接合して結合部の強度を強化している。
【００３６】
また、図７、図８において、計４枚あるラミネートフィルム８、９の間に、ラミネートフィルム８、９および端子部材４〜７よりも熱伝導率が小さい、または、逆に熱伝導率が大きい材料からなる中間層２０、２０ａ、２０ｂ（発泡性樹脂、空気、窒素、冷媒、金属等）を挟み込み、端子部材４〜７の接合部５６の熱によってラミネートフィルム表面が意に反する温度になることを抑制している。例えば、高温に成りすぎることにより近傍電気部品等への悪影響を排除したり、逆に積極的に熱を外部のヒートシンクに流したりすることができる。
【００３７】
なお、電池セル１、２は組電池３として隣り合う電池セル１、２と結合される前の単品の状態においても、援用する図１のシボ形状で示したような熱溶着部１ｙ〜８ｙを有している。この熱溶着部１ｙ〜８ｙは、ラミネートフィルム８、９相互を熱で溶着させたものである。その上で、図６の追加の熱溶着部９ｙ、１０ｙを形成して、電気的結合部と成る接合部５６の強度を強化している。この隣り合うラミネート自体の熱融着部９ｙ、１０ｙは、加熱工具を順番に当ててゆきラミネートフィルム同士を帯状に加熱溶着させて。また、対向する熱溶着部９ｙ、１０ｙで接合部５６を挟んでいる。
（第３実施形態の作用）
上記第３実施形態によれば、接合部５６を一方側と他方側から挟むラミネートフィルム８、９の一方側と他方側２枚の間に、０．２ｍｍ以上の厚さの、中間層２０を介在させている。この中間層２０は、ラミネートフィルム８、９および端子部材４〜７とは熱伝導率が異なる。
【００３８】
このように、ラミネートフィルム８、９の一方側２枚の間および他方側２枚の間の少なく共いずれかに、中間層２０を介在させているから、端子部材５、６の接合部５６からの放熱を中間層２０で制御することができる。
【００３９】
また、一方の電池セル１のラミネートフィルム８と他方の電池セル２０のラミネートフィルム９とが熱溶着された熱溶着部９ｙ、１０ｙが、接合部５６に隣接して帯状に延在して設けられている。この延在方向は、一方の電池セル１と他方の電池セル２０との結合方向と平行である。このように、熱溶着部９ｙ、１０ｙが、接合部５６に隣接して帯状に設けられているから、接合部５６を強化し保護することができる。
【００４０】
更に、熱溶着部９ｙ，１０ｙにて、接合部５６が挟まれているから、接合部５６を保護し漏洩電流をより確実に遮断することができる。なお製造時には、接合部５６を接続した後に、一方の電池セル１のラミネートフィルム８と他方の電池セル２のラミネートフィルム９とを熱溶着して熱溶着部９ｙ，１０ｙを接合部５６に隣接して形成する。
【００４１】
（第４実施形態）
次に、本発明の第４実施形態について説明する。上述した実施形態と異なる特徴部分を説明する。第４実施形態における電池セル段階での形態は、第１実施形態の図１と同様である。第４実施形態においても、電池セル１と電池セル２の接合部５６を完全にラミネートフィルムで覆うことで、組付け後の漏電を確実に防止している。これにより、電池セルの１、２端子部材（接続する部位）をラミネートフィルム８、９で表裏から二重に挟む事により、組付け前後の短絡を防止している。
【００４２】
また、図１０、図１１のように、計４枚あるラミネートフィルム８、９の間のうち一方の側に、ラミネートフィルム８、９および端子部材４〜７よりも熱伝導率が小さい材料あるいは大きい材料（発泡性樹脂、空気、窒素、冷媒、金属等）から成る中間層２０（または断熱材と言える場合もある）を挟み込んでいる。
【００４３】
これにより、ラミネートフィルム８、９に外力がかかった際に、端子部材５、６へ外力が伝わる事を防止し、外力が電池セル１、２の内部へ与える影響を低減している。更に、図１０では、断熱材を挟んでいないラミネートフィルムの裏側（図１０中の左側）へは熱が伝わり易く、中間層を成す断熱材２０を挟んだラミネートフィルム側（図１０中の右側）へは熱が伝わり難くなる。逆に、中間層２０として、熱伝導率が大きい材料を用いた場合は、図１０中の右側（表側）に熱が伝わり易くなる。
【００４４】
（第４実施形態の作用）
上記第４実施形態では、接合部５６を一方側と他方側から挟むラミネートフィルム８、９の表側裏側のいずれか一方側のみに、中間層２０を介在させている。従って、一方側と他方側とで中間層２０の有無に起因して接合部５６からの放熱状態を変えることができる。
【００４５】
すなわち、接合部は、通電時の接触抵抗等により常時５５℃くらいの発熱があり、異常時には１００℃くらいにもなる。この熱を選択されたほうに放熱させたり、選択されたほうに放熱しないようにしたりの調整（制御）が可能になる。
【００４６】
つまり、計４枚あるラミネートフィルム８、９の内、一方側の２枚のラミネートフィルムの間に、中間層２０を挟み込むことで、接合部５６の熱の移動を局在化（一方側と他方側の差別化）することができる。
【００４７】
中間層２０が断熱材である場合、接合部５６からの熱は、断熱材２０を挟んでいないラミネートフィルム側へは熱が伝わり易く、断熱材を挟んだラミネートフィルム側へは熱が伝わり難くなる。熱を加えたくない部品が近くにある場合、断熱材２０を挟んだラミネートフィルム側を部品側に配置することで、部品への熱の伝達を抑える事が出来る。また、断熱材を挟んでいないラミネートフィルム側を冷却経路等の冷却しやすい場所に配置することで、効率よく電池セル１、２の冷却が出来る。
【００４８】
（第５実施形態）
次に、本発明の第５実施形態について説明する。上述した実施形態と異なる特徴部分を説明する。第５実施形態における電池セル段階での形態は、第１実施形態の図１と同様である。図１２ないし図１４に示すように、第５実施形態は、基本的には図６の第３実施形態と同様であるが、中間層を介在させないでラミネートフィルム８、９を二重に端子部材５、６の接合部５６に被せている。組電池３における電池セル１と電池セル２の接合部５６を完全にラミネートフィルム８、９で覆うことで、組付け後の漏電等を確実に防止する。
【００４９】
また、電池セル１、２の端子部材５、６（接続する部位）をラミネートフィルム８、９で表裏両側から挟む事により、組付け時の短絡を防止している。更に、ラミネートフィルム８、９に外力がかかった際に、端子部材５、６へ外力伝わる事を防止し、外力の電池セル１、２内部へ影響を低減する。なお、外力によって外側のラミネートフィルムが開いた（破壊させた）場合でも、内側のラミネートフィルムによって、漏電等を防止することが出来る。
【００５０】
なお、この第５実施形態の変形例として、内側のラミネートフィルム９と端子部材５、６との間の空間に断熱材、窒素ガス等の空気以外のガス、冷却用冷媒等のいずれかを入れても良い。
【００５１】
（第６実施形態）
次に、本発明の第６実施形態について説明する。上述した実施形態と異なる特徴部分を説明する。第６実施形態における電池セル段階での形態は、第１実施形態の図１と同様である。図１５ないし図１７において、接合部５６の周囲を外側と内側の熱溶着部９ｙ、９ｙ２、１０ｙ、１０ｙ２で二重に囲んでいる。
【００５２】
図１５に示すように、第６実施形態は、基本的には図６の第３実施形態と同様であるが、断熱材等の中間層を介在させないでラミネートフィルム８、９を二重に端子部材５、６の接合部５６に被せている。組電池３における電池セル１と電池セル２の接合部５６を完全にラミネートフィルム８、９で覆うことで、組付け後の漏電等を確実に防止する。
【００５３】
また、電池セル１、２の端子部材５、６（接続する部位）をラミネートフィルム８、９で表裏両側から挟む事により、組付け時の短絡等を防止している。更に、ラミネートフィルム８、９に外力がかかった際に、端子部材５、６へ外力伝わる事を防止し、外力の電池セル１、２内部へ影響を低減する。なお、外力によって外側のラミネートフィルムが開いた場合でも、内側のラミネートによって、漏電等を防止することが出来る。
【００５４】
（第６実施形態の作用）
上記第６実施形態においては、図１６のように、端子部材５、６を覆うラミネートフィルム８、９の幅（図１６の上下方向の寸法）が、一方の電池セル側は幅が広く、他方の電池セル側は幅が狭くなっている。そして、接合部５６は、幅が狭いラミネートフィルム９を内側、幅が広いラミネートフィルム８を外側にして、接合部５６が幅の広いラミネートフィルム８と幅の狭いラミネートフィルム９とで二重に被覆されている。
【００５５】
これによれば、接合部５６が、幅の広いラミネートフィルム８と幅の狭いラミネートフィルム９とで二重に被覆されているから、より強固に接合部５６を強化し保護することができる。
【００５６】
（その他の実施形態）
本発明は上述した実施形態にのみ限定されるものではなく、次のように変形または拡張することができる。例えば、上述の第１実施形態では、図１８のように、端子部材５の両側を覆っているラミネートフィルム８等を捲り上げて、金属から成る端子部材５を露出させてから、接合部５６を形成した。しかし、電池セル１、２単品の状態で、予めラミネートフィルム８を図１９のように剥がして隙間部５７を形成しておいても良い。
【００５７】
すなわち、一方の電池セル１と他方の電池セル２との端子部材５、６を覆うラミネートフィルム８、９の一部が予め剥がされて、端子部材５、６の先端とラミネートフィルム８、９の一部との間に隙間部５７が形成されている。
【００５８】
その上で、接合部５６を挟んだ隣り合う電池セル１、２の少なくとも４枚のラミネートフィルム８、９を隙間部５７の入口部５７ａ、５７ｂから捲り上げて、隣り合う電池セル１、２の端子部材５、６同士を接合する。これによれば、端子部材の接合部５６が、該接合部５６を挟んだ隣り合う電池セル１、２の少なくとも４枚のラミネートフィルム８、９で二重に被覆し易い。
【００５９】
また、電池セル１、２は、外装材にアルミラミネートフィルムを用いている。大容量で高性能なセルを適用したハイブリッド自動車、電気自動車に適するが、その他にも、電動アシスト自転車などの駆動用電源用途や、電子機器のバックアップ電源、太陽光発電や風力発電といったクリーンエネルギーの蓄電用途、昼夜間電力の平準化を目的とした蓄電用に採用することができる。なお、図２０のように３つ以上の電池セルを結合して組電池３を構成する場合においても本発明を適用できることは勿論である。
【符号の説明】
【００６０】
１、２  電池セル
３  組電池
１ｇ、２ｇ  発電要素
８、９  ラミネートフィルム
４、５、６、７  端子部材
５６  端子部材同士の接合部
９ｙ、１０ｙ  熱溶着部
２０  中間層（断熱材）
５６ｈ  穴部
５７  隙間部
【図１】
0005891947.tif 000002
【図２】
0005891947.tif 000003
【図３】
0005891947.tif 000004
【図４】
0005891947.tif 000005
【図５】
0005891947.tif 000006
【図６】
0005891947.tif 000007
【図７】
0005891947.tif 000008
【図８】
0005891947.tif 000009
【図９】
0005891947.tif 000010
【図１０】
0005891947.tif 000011
【図１１】
0005891947.tif 000012
【図１２】
0005891947.tif 000013
【図１３】
0005891947.tif 000014
【図１４】
0005891947.tif 000015
【図１５】
0005891947.tif 000016
【図１６】
0005891947.tif 000017
【図１７】
0005891947.tif 000018
【図１８】
0005891947.tif 000019
【図１９】
0005891947.tif 000020
【図２０】
0005891947.tif 000021